(57)【要約】      （修正有）【課題】簡単な方法で製作可能な美しいヒップラインに補正する和装用臀部補正布を提供する。【解決手段】着用者の尻上部に載せることによって、ヒップラインを補正する和装用臀部補正布であって、３ｍｍ以下の厚さの布から形成され、全幅４５０ｍｍ〜５００ｍｍ、一辺３００ｍｍ〜３５０ｍｍの二辺を９０度に開いたＶ字状の布であり、Ｖ字状の鋭角部から上部９０ｍｍ〜１１０ｍｍにかけては布４枚の厚さであり、さらに鋭角部から上部９０ｍｍ〜２２０ｍｍにかけての三角形部は布８枚の厚さであり、補正布の他の部位は布２枚、または４枚の厚さである、ことを特徴とする和装用臀部補正布を使うことによって、臀部を美しいヒップラインへ簡単に補正することが可能となる。【選択図】図１５
0003231787.tif 000002
【実用新案登録請求の範囲】
【請求項１】
着用者の尻上部に載せることによって、ヒップラインを補正する和装用臀部補正布であって、
３ｍｍ以下の厚さの布から形成され、
全幅４５０ｍｍ〜５００ｍｍ、一辺３００ｍｍ〜３５０ｍｍの二辺を９０度に開いたＶ字状の布であり、
Ｖ字状の鋭角部から上部９０ｍｍ〜１１０ｍｍにかけては布４枚の厚さであり、
さらに前記鋭角部から上部９０ｍｍ〜２２０ｍｍにかけての三角形部は布８枚の厚さであり、
補正布の他の部位は布２枚、または４枚の厚さである、
ことを特徴とする和装用臀部補正布。
【考案の詳細な説明】
【技術分野】
【０００１】
本考案は、和装用下着に関し、特に婦人が着物を着用する際、臀部のライン所謂「ヒップライン」を補正できる和装用臀部補正布に関する。
【背景技術】
【０００２】
従来、留袖や振袖などの和服を着る前には、その下準備として、肌着である肌襦袢と裾よけを身に付け、その上に半襟の付いた長襦袢を着る。和服の身頃は反物を幅方向に裁断した生地から仕立てられているため、和服や帯のヨレを防ぎ、美しい着姿に仕上げるためには、身体のラインの凹凸をなくして寸胴となるように整える必要があった。そのため、例えば、胸の膨らみが強調されることのないように、サラシで押さえたり、タオルを巻いて、体型の補正が行われていた。補正を加えておくことにより、着崩れを防ぐこともできた。
【０００３】
しかしながら、このような補正は、着用者の体型に合わせて行う必要があり、和服を着慣れていない初心者には、どこをどのように補正すればよいのかの判断が難しかった。また、補正には、タオルや紐などを多用するため、準備が面倒であり時間も掛かるので、和服を気軽に着ることができなかった。さらに、補正箇所や補正方法を間違えると、圧迫感を感じるなど着心地が悪くなってしまうこともあった。
【先行技術文献】
【特許文献】
【０００４】
【特許文献１】実開昭５５−０９１８２７号公報
【特許文献２】国際公開ＷＯ９８／２１９８７号公報
【考案の概要】
【考案が解決しようとする課題】
【０００５】
この種の和装用臀部補正用具としては、特許文献１の和服着付用体型補正パットや特許文献２の女性用被服が存在する。
【０００６】
しかし特許文献１に記載の「和服着付用体型補正パット」も、特許文献２に記載の「女性用被服」も、様々な効果を求めるが故、複雑な構成を有し、非常に製造の手間を要するため、コストもかかる。
【課題を解決するための手段】
【０００７】
前記課題を解決するために、請求項１に係る考案は、着用者の尻上部に載せることによって、ヒップラインを補正する和装用臀部補正布であって、３ｍｍ以下の厚さの布から形成され、全幅４５０ｍｍ〜５００ｍｍ、一辺３００ｍｍ〜３５０ｍｍの二辺を９０度に開いたＶ字状の布であり、Ｖ字状の鋭角部から上部９０ｍｍ〜１１０ｍｍにかけては布４枚の厚さであり、さらに前記鋭角部から上部９０ｍｍ〜２２０ｍｍにかけての三角形部は布８枚の厚さであり、補正布の他の部位は布２枚、または４枚の厚さである、
ことを特徴としている。
【考案の効果】
【０００８】
本考案によれば、布（タオル）を折る、という非常に簡単な方法で制作可能であり、着付け前に尻上部に載せるだけで、臀部を布（タオル）の微妙な厚みの違いによってヒップラインを美しく補正できる和装用臀部補正布の提供が可能となる。
【図面の簡単な説明】
【０００９】
【図１】本考案の実施形態に係る布Ｔの全体図である。
【図２】本考案の実施形態に係る布Ｔから和装用臀部補正布１を作成するステップＳ１を示す図である。
【図３】本考案の実施形態に係る布Ｔから和装用臀部補正布１を作成する途中であり、布Tを半分に折ったことを示す図である。
【図４】本考案の実施形態に係る布Ｔから和装用臀部補正布１を作成するステップＳ２を示す図である。
【図５】本考案の実施形態に係る布Ｔから和装用臀部補正布１を作成する途中を示す図である。
【図６】本考案の実施形態に係る布Ｔから和装用臀部補正布１を作成するステップＳ３を示す図である。
【図７】本考案の実施形態に係る布Ｔから和装用臀部補正布１を作成する途中を示す図である。
【図８】本考案の実施形態に係る布Ｔから和装用臀部補正布１を作成するステップＳ４を示す図である。
【図９】本考案の実施形態に係る布Ｔから和装用臀部補正布１を作成する途中を示す図である。
【図１０】本考案の実施形態に係る布Ｔから和装用臀部補正布１を作成するステップＳ５を示す図である。
【図１１】本考案の実施形態に係る布Ｔから和装用臀部補正布１を作成する途中を示す図である。
【図１２】本考案の実施形態に係る布Ｔから和装用臀部補正布１を作成するステップＳ６を示す図である。
【図１３】本考案の実施形態に係る布Ｔから和装用臀部補正布１を作成する途中を示す図である。
【図１４】本考案の実施形態に係る布Ｔから和装用臀部補正布１を作成するステップＳ７を示す図である。
【図１５】本考案の実施形態に係る布Ｔから和装用臀部補正布１を作成し、完成後に縫い合わせた図である。
【図１６】本考案の実施形態に係る和装用臀部補正布１の完成図である。
【図１７】本考案の実施形態に係る和装用臀部補正布１を使用する実施例図である。
【考案を実施するための形態】
【００１０】
以下、添付図面を参照しながら本考案の実施の形態について説明する。以下の実施の形態は、本考案を説明するための例示であり、本考案をその実施の形態のみに限定する趣旨ではない。また、本考案は、その要旨を逸脱しない限り、様々な変形が可能である。さらに、各図面において同一の構成要素に対しては可能な限り同一の符号を付し、重複する説明は省略する。
【００１１】
［和装用臀部補正布作成例］
本考案の実施例として、布Ｔを使って和装用臀部補正布（以下、補正布１と略す）を図１乃至図１１に沿って説明する。まず、図１に示すような布Ｔを準備する。布Ｔの縦幅H１は１００ｍｍ以上６００ｍｍ以下、好ましくは２００ｍｍ以上４００ｍｍ以下、さらに好ましくは２５０ｍｍ以上３００以下である。布Ｔの横幅Ｗ１については５００ｍｍ以上１５００ｍｍ以下、好ましくは６００ｍｍ以上１０００ｍｍ以下、さらに好ましくは７５０ｍｍ以上８５０以下である。
【００１２】
布Ｔの材質は主に綿が好ましいが、麻、及びレーヨン、ナイロン、ポリエステルなどの化学繊維でも良い。表面はタオル地であるループ状の細かい糸（輪奈）が飛び出している布地が好ましいが、手拭いのような平縫いの表面でも良い。タオル地の場合、臀部の厚み補正を行うように、全体の厚みは５ｍｍ以内、好ましくは４ｍｍ以内、さらに好ましくは３ｍｍ以内である。
【００１３】
上記範囲であれば、布Ｔのサイズ、材質は問わないが、材質は綿、サイズは、縦幅Ｈ１が２９０ｍｍ、横幅Ｗ１が８４０ｍｍの着付け専用タオルが最適である。
【００１４】
次に、図２、及び図３に示すように、布Ｔの下辺１２が上辺１１に重なるように、縦幅Ｈ１の半分の位置を折り目として、二つ折りにする（ステップS１）。二つ折りにすることにより、布Ｔの縦幅はＨ１の半分であるＨ２となる。
【００１５】
次に、図４及び図５に示すように、半分に折られた布Ｔの左側辺１３を右側辺１４からＷ３だけ残し、Ｗ２の長さで折込む（ステップＳ２）。元の布Ｔの横幅Ｗ１との関係は
Ｗ１＝２×Ｗ２＋Ｗ３  の関係となり、最終的に完成する補正布１が左右対称となることを考慮すると、Ｗ３＝Ｈ÷２  となる。最適な着付け用タオルである場合、Ｗ３は１４５ｍｍとなる。
【００１６】
」
次に、図６及び図７に示すように、ステップＳ２で折込んだ辺１３を頂点１５軸に上部に折込む（ステップＳ３）。
【００１７】
次に、図８及び図９に示すように示すように、右辺１４を頂点１５からＷ３の位置する１６部を軸に上部に折込む（ステップＳ４）。前記折込みにより、布Ｔの高さ、幅共にＷ２の長さとなる。
【００１８】
次に、図１０及び図１１に示すように示すように、頂点１６を上部に折込む（ステップＳ５）。
【００１９】
次に、図１２及び図１３に示すように示すように、頂点１７、及び頂点１８をそれぞれ下部に辺１３、及び辺１４からＷ４の長さを残し、下部へ折込む（ステップＳ６）。Ｗ４の長さは定めないが布Ｔの半分であったＨ２より小さい。Ｗ４の長さが小さいほど、帯紐への結び目が小さくすることができる。
【００２０】
最後に、図１４に示すように示すように、布Ｔから頂点１７、及び頂点１８を含む布Tからはみ出した箇所をハサミ等で切断する（ステップＳ７）。この形を固定するために、図１５の補正布１を縫い目１９、及び２０のように縫いあわせても良い。
【００２１】
上記方法により補正布１の形状を作成する。この前記作成方法により、図１６に示す通り、尻凹部に当たるＴ１部は布８枚の厚さ、固定部となるＴ２部、Ｔ５部、及びＴ６部は布４枚の厚さ、尻凸部に当たるＴ３部、及びＴ４部は布２枚の暑さとなる。この厚さで、臀部の凹部には厚く、その他部分は薄く補正可能な補正布１となる。
【００２２】
［和装用臀部補正布実施例］
上記方法によって作成した補正布１は、和服を着用する前に、図１７のように着用者の臀部２に載せた後、和服を着用する。この和装用タオルから作成した補正布１を使用することにより、補正布１の凹凸が厚みを出したい箇所のみ簡易に厚みを出すことが可能となり、万人が簡易に利用可能で、臀部を美しいヒップラインに補正することが可能となる。
【符号の説明】
【００２３】
１  和装用臀部補正布
２  和装着用者臀部
１１  布Ｔの上辺
１２  布Ｔの下辺
１３  半分に折った布Ｔの左側辺
１４  半分に折った布Ｔの右側辺
１５  補正布１の作成途中の折ポイント
１６  補正布１の作成途中の折ポイント
１７  補正布１の作成途中の角ポイント
１８  補正布１の作成途中の角ポイント
１９  補正布１の縫い目
Ｈ１  布Ｔの縦幅
Ｈ２  半分に折った布Ｔの縦幅
Ｗ１  布Ｔの横幅
Ｗ２  布Ｔを折込む布Ｔの縦幅、及び補正布１の縦幅
Ｗ３  布Ｔを折込む際の残す幅、及びＨ２の半分の幅
Ｗ４  布Ｔの結び目となる幅
Ｔ  布
【図１】
0003231787.tif 000003
【図２】
0003231787.tif 000004
【図３】
0003231787.tif 000005
【図４】
0003231787.tif 000006
【図５】
0003231787.tif 000007
【図６】
0003231787.tif 000008
【図７】
0003231787.tif 000009
【図８】
0003231787.tif 000010
【図９】
0003231787.tif 000011
【図１０】
0003231787.tif 000012
【図１１】
0003231787.tif 000013
【図１２】
0003231787.tif 000014
【図１３】
0003231787.tif 000015
【図１４】
0003231787.tif 000016
【図１５】
0003231787.tif 000017
【図１６】
0003231787.tif 000018
【図１７】
0003231787.tif 000019
【手続補正書】
【提出日】令和3年1月27日(2021.1.27)
【手続補正１】
【補正対象書類名】明細書
【補正対象項目名】００２１
【補正方法】変更
【補正の内容】
【００２１】
上記方法により補正布１の形状を作成する。この前記作成方法により、図１６に示す通り、補正布１は辺Ｖ２と辺Ｖ３からＶ字状を形成する。Ｖ字状を形成する補正布１は、Ｖ字状の鋭角部Ｖ１を有し、Ｖ１から上部９０ｍｍ〜１１０ｍｍにかけて三角形部Ｔ１を形成する。実施時に尻凹部に触れる（尻凹触部）Ｔ１は布８枚の厚さ、固定部となるＴ２、Ｔ５、及びＴ６は布４枚の厚さ、尻凸部に触れる尻凸触部Ｔ３、及び尻凸触部Ｔ４は布２枚の厚さとなる。この厚さで、臀部の凹部には厚く、その他部分は薄く補正可能な補正布１となる。

【手続補正２】
【補正対象書類名】明細書
【補正対象項目名】００２３
【補正方法】変更
【補正の内容】
【００２３】
１  和装用臀部補正布
２  和装着用者臀部
１１  布Ｔの上辺
１２  布Ｔの下辺
１３  半分に折った布Ｔの左側辺
１４  半分に折った布Ｔの右側辺
１５  補正布１の作成途中の折ポイント
１６  補正布１の作成途中の折ポイント
１７  補正布１の作成途中の角ポイント
１８  補正布１の作成途中の角ポイント
１９  補正布１の縫い目
２０  補正布１の縫い目
Ｈ１  布Ｔの縦幅
Ｈ２  半分に折った布Ｔの縦幅
Ｖ１  補正布１鋭角部
Ｖ２  補正布１辺
Ｖ３  補正布１辺
Ｗ１  布Ｔの横幅
Ｗ２  布Ｔを折込む布Ｔの縦幅、及び補正布１の縦幅
Ｗ３  布Ｔを折込む際の残す幅、及びＨ２の半分の幅
Ｗ４  布Ｔの結び目となる幅
Ｔ  布
Ｔ１  三角形部（尻凹触部）
Ｔ２  固定部
Ｔ３  尻凸触部
Ｔ４  尻凸触部
Ｔ５  固定部
Ｔ６  固定部

【手続補正３】
【補正対象書類名】図面
【補正対象項目名】図１６
【補正方法】変更
【補正の内容】
【図１６】
0003231787.tif 000020
【手続補正書】
【提出日】令和3年2月27日(2021.2.27)
【手続補正１】
【補正対象書類名】実用新案登録請求の範囲
【補正対象項目名】全文
【補正方法】変更
【補正の内容】
【実用新案登録請求の範囲】
【請求項１】
着用者の尻上部に載せることによって、ヒップラインを補正する和装用臀部補正布であって、
３ｍｍ以下の厚さの布から形成され、
全幅Ｖ４は４５０ｍｍ〜５００ｍｍ、一辺３００ｍｍ〜３５０ｍｍの二辺Ｖ２及びＶ３を９０度に開いたＶ字状の布であり、
Ｖ字状の鋭角部Ｖ１から上部９０ｍｍ〜１１０ｍｍにかかる固定部Ｔ２は布４枚の厚さであり、
さらに前記固定部Ｔ２から上部９０ｍｍ〜２２０ｍｍにかけての三角形部Ｔ１は布８枚の厚さであり、
補正布の他の部位は布２枚、または４枚の厚さである、
ことを特徴とする和装用臀部補正布。

【手続補正２】
【補正対象書類名】明細書
【補正対象項目名】００２１
【補正方法】変更
【補正の内容】
【００２１】
上記方法により補正布１の形状を作成する。この前記作成方法により、図１６に示す通り、補正布１は全幅Ｖ４が４５０ｍｍ〜５００ｍｍとなり、一辺３００ｍｍ〜３５０ｍｍの辺Ｖ２と辺Ｖ３からＶ字状を形成する。Ｖ字状を形成する補正布１は、Ｖ字状の鋭角部Ｖ１を有し、Ｖ１から上部９０ｍｍ〜１１０ｍｍにかけて三角形部Ｔ１を形成する。実施時に尻凹部に触れる（尻凹触部）Ｔ１は布８枚の厚さ、固定部となるＴ２、Ｔ５、及びＴ６は布４枚の厚さ、尻凸部に触れる尻凸触部Ｔ３、及び尻凸触部Ｔ４は布２枚の厚さとなる。この厚さで、臀部の凹部には厚く、その他部分は薄く補正可能な補正布１となる。

【手続補正３】
【補正対象書類名】明細書
【補正対象項目名】００２３
【補正方法】変更
【補正の内容】
【００２３】
１  和装用臀部補正布
２  和装着用者臀部
１１  布Ｔの上辺
１２  布Ｔの下辺
１３  半分に折った布Ｔの左側辺
１４  半分に折った布Ｔの右側辺
１５  補正布１の作成途中の折ポイント
１６  補正布１の作成途中の折ポイント
１７  補正布１の作成途中の角ポイント
１８  補正布１の作成途中の角ポイント
１９  補正布１の縫い目
２０  補正布１の縫い目
Ｈ１  布Ｔの縦幅
Ｈ２  半分に折った布Ｔの縦幅
Ｖ１  補正布１鋭角部
Ｖ２  補正布１辺
Ｖ３  補正布１辺
Ｖ４  補正布の全幅
Ｗ１  布Ｔの横幅
Ｗ２  布Ｔを折込む布Ｔの縦幅、及び補正布１の縦幅
Ｗ３  布Ｔを折込む際の残す幅、及びＨ２の半分の幅
Ｗ４  布Ｔの結び目となる幅
Ｔ  布
Ｔ１  三角形部（尻凹触部）
Ｔ２  固定部
Ｔ３  尻凸触部
Ｔ４  尻凸触部
Ｔ５  固定部
Ｔ６  固定部

【手続補正４】
【補正対象書類名】図面
【補正対象項目名】図１６
【補正方法】変更
【補正の内容】
【図１６】
0003231787.tif 000021